(57)【要約】【課題】犬や猫などの動物にも使用可能で、健康状態を維持する効果や向上させる効果が高い動物用サプリメントおよびペット用サプリメントを提供する。【解決手段】ローヤルゼリーを１０乃至３０質量％と、コタラヒムを０．０１乃至２０．０質量％と、コエンザイムＱ１０を０．０１乃至１０．０質量％とを含んでいる。さらに、水溶性食物繊維とビール酵母とフラクトオリゴ糖とを含んでいる。さらに、核酸を含んでいてもよい。【選択図】なし【特許請求の範囲】
【請求項１】
ローヤルゼリーとコタラヒムとコエンザイムＱ１０とを含むことを、特徴とする動物用サプリメント。
【請求項２】
ローヤルゼリーとコタラヒムとコエンザイムＱ１０とを含むことを、特徴とするペット用サプリメント。
【請求項３】
乾燥質量で１０乃至３０質量％のローヤルゼリーと、０．０１乃至２０．０質量％のコタラヒムと、０．０１乃至１０．０質量％のコエンザイムＱ１０とを含むことを、特徴とするペット用サプリメント。
【請求項４】
水溶性食物繊維とビール酵母とオリゴ糖とを含むことを、特徴とする請求項２または３記載のペット用サプリメント。
【請求項５】
前記水溶性食物繊維はペクチン、グルコマンナン、ガラクトマンナン、フコイダン、アルギン酸、グァーガムのうちの少なくとも一つを含むことを、特徴とする請求項４記載のペット用サプリメント。
【請求項６】
前記オリゴ糖はフラクトオリゴ糖から成ることを、特徴とする請求項４または５記載のペット用サプリメント。
【発明の詳細な説明】
【技術分野】
【０００１】
本発明は、動物用サプリメントおよびペット用サプリメントに関する。
【背景技術】
【０００２】
近年、人間のパートナーの位置づけを確立した犬や猫は、伴侶動物（ペット）ともいわれ、我々にとって最も親しい身近な存在になっている。これらペットは、効果的なワクチン、寄生虫駆除薬や抗生物質の開発、診断治療の改善、そして飼い主の知識レベルの向上などの要因によって健康と寿命が改善されてきている。しかしながら、犬では７歳を過ぎる頃から老化現象が始まり、体に異常をきたして病院に通院する回数も大幅に増えているのが現状である。
【０００３】
一方、猫の平均寿命は約14年とされており、6〜7年で人の中年にあたる年齢となる。この頃を目安として生理的、内臓的機能変化により、外部環境からのストレスに対する恒常性の維持能力が進行的に減退し、病気に対する抵抗力が低下してくる。その結果、被毛の灰色化、皮膚の弾力性の低下、関節の病気、暑さ寒さへの対応力の低下、視覚・臭覚の低下などの兆候が明らかになり、人間同様、生活習慣病や慢性疾患が増えているのが現状である。
【０００４】
日本でのペットフードの市場規模は、2005年度時点で約3000億円とされており、一方、ペット用サプリメントの市場規模は、約10億円（約0.3%）である。また、飼い主の意識変化により、家族同様ペットにも健康で長生きしてほしいとの願望がある。それに対して獣医師が処方する”特別療法食”は、消費者にとって安心感があり、2002年度時点で約89億円と非常に顕著な伸びを示している。しかしながら、ペット用サプリメントについては、犬の飼育頭数（約1000万頭）あるいは猫の飼育頭数（800万頭）から考えると、飼い主の要望に対応し切れておらず、その市場はほぼ横ばい状態である。
【０００５】
従来、生活習慣病、慢性疾患などの老化に伴う現象に対応するものとして、ローヤルゼリーが配合されたサプリメントや食品などがある（例えば、特許文献１または２参照）。ローヤルゼリーは、ミツバチの大鰓腺および下咽頭腺から分泌される乳白色を帯びた強い酸味のある物質で、抗菌作用、糖尿病抑制作用、血流増加作用、成長促進作用および動脈硬化抑制作用等の、多岐にわたる薬理作用を有することが知られており、栄養補助食品、化粧品、医薬部外品等に幅広く利用されている。特に、医薬品、医薬部外品のローヤルゼリー配合剤では、滋養強壮、虚弱体質並びに肉体疲労等の栄養補給として認められている。ローヤルゼリー乾燥粉末（ＦＤ粉末）の一日摂取推奨量は、ヒトで60kg体重あたり500mgである。
【０００６】
【特許文献１】特開２００６−１６３８７号公報
【特許文献２】特開平１１−１２４３３８号公報
【発明の開示】
【発明が解決しようとする課題】
【０００７】
しかしながら、特許文献１または２に記載のようなローヤルゼリーを配合したものは、人間に対して使用されるものであり、犬や猫などの人間以外の動物に使用されるものではないという課題があった。また、ローヤルゼリーのみの場合と比べて、良好な健康状態を維持する効果や、健康状態を向上させる効果をさらに高めたものが期待されている。
【０００８】
本発明は、このような課題に着目してなされたもので、犬や猫などの動物にも使用可能で、健康状態を維持する効果や向上させる効果が高い動物用サプリメントおよびペット用サプリメントを提供することを目的としている。
【課題を解決するための手段】
【０００９】
上記目的を達成するために、本発明に係る動物用サプリメントは、ローヤルゼリーとコタラヒムとコエンザイムＱ１０とを含むことを、特徴とする。また、本発明に係るペット用サプリメントは、ローヤルゼリーとコタラヒムとコエンザイムＱ１０とを含むことを、特徴とする。
【００１０】
本発明に係る動物用サプリメントは、犬や猫などの動物だけでなく、人間にも使用可能である。また、本発明に係るペット用サプリメントは、犬や猫などの動物に使用可能である。本発明に係る動物用サプリメントおよびペット用サプリメントは、ローヤルゼリーを含むため、抗菌作用、糖尿病抑制作用、血流増加作用、成長促進作用および動脈硬化抑制作用等の、多岐にわたる薬理作用を有している。
【００１１】
コタラヒムは、サラシア属に属するツル性植物のサラシア・レティキュラータ（Salacia reticulata）である。コタラヒムは、抗酸化作用を有する植物としてのみならず、アユルベーダ医学の中では血糖値を適正にする効能を持った薬草の一つとされている。本発明に係る動物用サプリメントおよびペット用サプリメントは、コタラヒムを含むため、抗酸化作用のみならず、血糖値を適正にする効能などを有している。
【００１２】
コエンザイムＱ１０（CoQ10）は、コハク酸脱水素酵素活性に関連する補酵素で、ユビキノンとも呼ばれる物質で、心筋ミトコンドリアの電子伝達系に位置してエネルギー産生に重要な役割を果たす物質であることが知られている。CoQ10は、経口的に投与されて心筋細胞のミトコンドリアに取り込まれ、軽度および中程度のうっ血性心不全による浮腫、肺うっ血、強心症状を含む心筋障害の改善、低下した心拍出量の改善のために用いられている。本発明に係る動物用サプリメントおよびペット用サプリメントは、コエンザイムＱ１０を含むため、心筋障害や心拍出量の改善などの効果を有している。
このように、本発明に係る動物用サプリメントおよびペット用サプリメントは、ローヤルゼリーのみの場合と比べて、健康状態を維持する効果や向上させる効果がさらに高い。
【００１３】
コタラヒムおよびコエンザイムＱ１０が、抗酸化作用を有しているため、脂肪酸の酸化劣化、香料の劣化、色素の分解、色素の退色等の様々な変質を抑える作用を有している。これらの作用により、食品、化粧品、医薬部外品、医薬品中に配合されて利用可能である。例えば、コタラヒムおよびコエンザイムＱ１０により、ローヤルゼリー中の含有物質の劣化を抑制することができる。劣化が抑制されるローヤルゼリー中の含有物質として、10-ヒドロキシ-2-デセン酸、9-オキソ-2-デセン酸等の脂肪酸が挙げられる。なお、脂肪酸の劣化は、空気中の酸素による酸化が原因であると考えられる。
【００１４】
本発明に係るペット用サプリメントは、乾燥質量で１０乃至３０質量％のローヤルゼリーと、０．０１乃至２０．０質量％のコタラヒムと、０．０１乃至１０．０質量％のコエンザイムＱ１０とを含むことが好ましい。この場合、ペットの健康状態に対する効果が特に高い。コタラヒムは、人の一日推奨量から換算したペットの一日推奨量を考慮すると、0.1質量％乃至10.0質量％含まれることがより好ましく、1.0質量％乃至8.0質量％含まれることがより好ましい。コエンザイムＱ１０は、人の一日推奨量から換算したペットの一日推奨量を考慮すると、0.1質量％乃至5.0質量％含まれることがより好ましく、0.5質量％乃至3.0質量％含まれることがより好ましい。
【００１５】
本発明に係るペット用サプリメントは、水溶性食物繊維とビール酵母とオリゴ糖とを含むことが好ましい。特に、本発明に係るペット用サプリメントで、前記水溶性食物繊維はペクチン、グルコマンナン、ガラクトマンナン、フコイダン、アルギン酸、グァーガムのうちの少なくとも一つを含むことが好ましい。本発明に係るペット用サプリメントで、オリゴ糖はフラクトオリゴ糖、イソマルトオリゴ糖、大豆オリゴ糖、ガラクトオリゴ糖、パラチノースのうちの少なくとも一つを含むことが好ましい。特に、前記オリゴ糖はフラクトオリゴ糖から成ることが好ましい。これらの場合、水溶性食物繊維およびオリゴ糖により、ペットの健康状態に対する効果をさらに高めることができる。ビール酵母により、ローヤルゼリーの苦み成分を除去することができるため、ペットの嗜好性を高めることができる。
【００１６】
また、本発明に係るペット用サプリメントは、核酸を含んでいてもよい。核酸は、生物の細胞核由来の抽出物又はその加水分解物であり、リボ核酸、デオキシリボ核酸、プロタミン、ヌクレオチド又はヌクレオシド、或いはそれらの塩等が挙げられる。核酸は、新陳代謝促進作用、細胞賦活作用等を有し、主に保健機能食品や外用剤の蘇生に使用されている。核酸は、入手容易性の点から、例えば、魚の白子や酵母から抽出したRNA（リボ核酸）やDNA（デオキシリボ核酸）等を使用するのが好ましい。
【発明の効果】
【００１７】
本発明によれば、犬や猫などの動物にも使用可能で、健康状態を維持する効果や向上させる効果が高い動物用サプリメントおよびペット用サプリメントを提供することができる。
【発明を実施するための最良の形態】
【００１８】
動物用サプリメントおよびペット用サプリメントについて、配合する素材の組合せや配合比率を検討するために、以下の試験を行った。なお、試験に使用するローヤルゼリーは、生ローヤルゼリーを凍結乾燥した淡黄白色の粉末散(ＦＤ粉末)から成るローヤルゼリー（ジャパンローヤルゼリー株式会社製）を使用した。
【実施例１】
【００１９】
［抗酸化機能性素材の組み合わせの検討］
配合する抗酸化機能性素材の組合せ、および配合比率の検討を行った。試験試料として、対照区１および試験区１乃至３を作成して、試験を行った。
対照区１：ローヤルゼリーFD粉末20.0g、デンプン80.0gを十分に混合したサプリメント。
試験区１：ローヤルゼリーFD粉末20.0g、コタラヒムエキス末10.0g、デンプン70.0gを十分に混合したサプリメント。
試験区２：ローヤルゼリーFD粉末20.0g、コエンザイムQ10  5.0g、デンプン75.0gを十分に混合したサプリメント。
試験区３：ローヤルゼリーFD粉末20.0g、コタラヒムエキス末10.0g、コエンザイムQ10  5.0g、デンプン75.0gを十分に混合した犬用サプリメント。
【００２０】
対照区１および試験区１乃至３のサプリメントを犬に給餌して、その飼い主をモニターとして評価し、その結果を表１に示す。なお、給餌した犬の品種は、ラブラトリー、ゴールデンレトリバー、ボーダーコリーなど計１０匹である。
【００２１】
【表１】
2008067632.tif 000002
【００２２】
表１に示すように、いずれの試験区においても犬の健康状態が良く、その中でも特に試験区３が最も犬の健康状態が良いことが確認された。このように、ローヤルゼリーに、コタラヒムおよびコエンザイムQ10を配合することにより、健康状態を維持する効果や向上させる効果を高めることができる。また、犬の嗜好性については、ローヤルゼリーの苦みのためか食いつきはいずれも良くなかった。
【実施例２】
【００２３】
［水溶性食物繊維の検討］
水溶性食物繊維の配合による影響について検討を行った。試験試料として、対照区２および試験区４を作成して、試験を行った。
対照区２：ローヤルゼリーFD粉末20.0g、デンプン80.0gを十分に混合したサプリメント。
試験区４：ローヤルゼリーFD粉末20.0g、水溶性食物繊維30.0%、デンプン50.0gを十分に混合したサプリメント。
【００２４】
対照区２および試験区４のサプリメントを犬に給餌して、その飼い主をモニターとして評価し、その結果を表２に示す。なお、給餌した犬の品種は、ラブラトリー、ゴールデンレトリバー、ボーダーコリーなど計１０匹である。
【００２５】
【表２】
2008067632.tif 000003
【００２６】
表２に示すように、水溶性食物繊維を配合した試験区４では、配合していない対照区２と比べて、犬の健康状態が良いことが確認された。このように、ローヤルゼリーに水溶性食物繊維を配合することにより、健康状態を維持する効果や向上させる効果を高めることができる。犬の嗜好性については、ローヤルゼリーの苦みのためか食いつきは良くなかった。
【実施例３】
【００２７】
［各種オリゴ糖の検討］
配合するオリゴ糖の種類、および各種オリゴ糖による影響について検討を行った。試験試料として、対照区３および試験区５乃至７を作成して、試験を行った。
対照区３：ローヤルゼリーFD粉末20.0g、デンプン80.0gを十分に混合したサプリメント。
試験区５：ローヤルゼリーFD粉末20.0g、フラクトオリゴ糖10.0%、デンプン70.0gを十分に混合したサプリメント。
試験区６：ローヤルゼリーFD粉末20.0g、イソマルトオリゴ糖10.0%、デンプン70.0gを十分に混合したサプリメント。
試験区７：ローヤルゼリーFD粉末20.0g、ガラクトオリゴ糖10.0%、デンプン70.0gを十分に混合したサプリメント。
【００２８】
対照区３および試験区５乃至７のサプリメントを犬に給餌して、その飼い主をモニターとして評価し、その結果を表３に示す。なお、給餌した犬の品種は、ラブラトリー、ゴールデンレトリバー、ボーダーコリーなど計１０匹である。
【００２９】
【表３】
2008067632.tif 000004
【００３０】
表３に示すように、各種オリゴ糖を配合した試験区５乃至７では、配合していない対照区３と比べて、犬の健康状態が良いことが確認された。このように、ローヤルゼリーに、オリゴ糖を配合することにより、健康状態を維持する効果や向上させる効果を高めることができる。また、犬の嗜好性については、対照区３、試験区６および７で、ローヤルゼリーの苦みのためか食いつきは良くなかった。しかし、フラクトオリゴ糖を配合した試験区５では、やや食いつきが良いことが確認された。
【実施例４】
【００３１】
［ビール酵母の検討］
ビール酵母の配合による影響について検討を行った。試験試料として、対照区４および試験区８を作成して、試験を行った。
対照区４：ローヤルゼリーFD粉末20.0g、デンプン80.0gを十分に混合したサプリメント。
試験区８：ローヤルゼリーFD粉末20.0g、ビール酵母15.0g、デンプン65.0gを十分に混合したサプリメント。
【００３２】
対照区４および試験区８のサプリメントを犬に給餌して、その飼い主をモニターとして評価し、その結果を表４に示す。なお、給餌した犬の品種は、ラブラトリー、ゴールデンレトリバー、ボーダーコリーなど計１０匹である。
【００３３】
【表４】
2008067632.tif 000005
【００３４】
表４に示すように、ビール酵母を配合した試験区８では、配合していない対照区４と比べて、犬の健康状態が良いことが確認された。犬の嗜好性については、対照区４で、ローヤルゼリーの苦みのためか食いつきは良くなかった。しかし、ビール酵母を配合した試験区８では、食いつきが良いことが確認された。このように、ビール酵母により、ローヤルゼリーの苦み成分を除去することができるため、ペットの嗜好性を高めることができる。なお、試験区８のビール酵母に加えて核酸を配合すると、犬の食いつきがさらに良くなることも確認された。
【実施例５】
【００３５】
［配合する素材の組合せの検討］
実施例１乃至実施例４の検討結果に基づいて、配合する素材の組合せの検討を行った。試験試料として、対照区５および試験区９乃至１０を作成して、試験を行った。
対照区５：ローヤルゼリーFD粉末20.0g、デンプン80.0gを十分に混合したサプリメント。
試験区９：ローヤルゼリーFD粉末20.0g、コタラヒムエキス末10.0%、コエンザイムQ10  5.0%、水溶性食物繊維45.0%、フラクトオリゴ糖5.0%、ビール酵母15.0gを十分に混合したサプリメント。
試験区１０：ローヤルゼリーFD粉末20.0g、コタラヒムエキス末10.0%、コエンザイムQ10  5.0%、水溶性食物繊維30.0%、フラクトオリゴ糖5.0%、ビール酵母15.0g、核酸15.0gを十分に混合したサプリメント。
【００３６】
対照区５および試験区９乃至１０のサプリメントを犬に給餌して、その飼い主をモニターとして評価し、その結果を表５に示す。なお、給餌した犬の品種は、ラブラトリー、ゴールデンレトリバー、ボーダーコリーなど計１０匹である。
【００３７】
【表５】
2008067632.tif 000006
【００３８】
表５に示すように、試験区９乃至１０では、対照区５と比べて、犬の健康状態が良いことが確認された。試験区１０では、犬の健康状態が特に良いことが確認された。犬の嗜好性については、対照区５で、ローヤルゼリーの苦みのためか食いつきは良くなかった。しかし、試験区９乃至１０では、食いつきが良いことが確認された。この結果から、配合する素材の組合せや配合比率として、試験区１０のものが最適であることが確認された。
【００３９】
なお、試験区１０では、複数の主成分中の含有物質による相乗的な効果により、例えば、脳細胞や皮膚細胞の賦活化、末梢血管拡張、抗腫瘍、消炎等の抗酸化作用が促進されることが期待できる。また、コタラヒムおよびコエンザイムＱ１０が、抗酸化作用を有しているため、ローヤルゼリー中の脂肪酸等の薬理作用を奏する含有物質が、配合物の長期保存中に変質することを低減できる。これにより配合物の品質を長期間維持できる。
【実施例６】
【００４０】
［安全性および効果の検討］
実施例５の検討結果に基づいて、サプリメントの安全性および効果についての評価を行った。試験試料として、実施例５の試験区１０と同じ配合の試験区１１を作成して、試験を行った。
試験区１１：ローヤルゼリーFD粉末20.0g、コタラヒムエキス末10.0%、コエンザイムQ10  5.0%、水溶性食物繊維30.0%、フラクトオリゴ糖5.0%、ビール酵母15.0g、核酸15.0gを十分に混合したサプリメント。
【００４１】
試験区１１のサプリメントを犬に給餌して評価した。給餌した犬の品種は、盲導犬引退後の９才〜１１才のラブラドールレトリバーの老犬５頭である。なお、病気の有無は問わなかった。
試験の結果、全体的に毛艶および皮膚状態の改善が確認された。